(57)【要約】      （修正有）【課題】簡単に設置することができる構成でありつつ、ロールホルダーのみならず様々な物品を保持することができ、使用者の体型等に応じてトイレットペーパーを引き出しやすい位置にロールホルダーを配置することができるトイレットロール支持構造を提供する。【解決手段】トイレットロール支持構造１は、トイレルーム４の側壁面５に沿って平行に設けられる水平バー７と、平板を折り曲げた山型に形成され、頂部が前記水平バー７上に載置された状態で安定する山型部、前記山型部の両側端からそれぞれ下方に垂下する一対の側垂れ部、及び前記側垂れ部の下端に形成されトイレットロール２を回転可能に支持する回転支持部を有するロールホルダー８と、を備える。【選択図】図１
2019195530.tif 000002
【特許請求の範囲】
【請求項１】
トイレルームの側壁面に沿って平行に設けられる水平バーと、
平板を曲げて山型に形成され、頂部が前記水平バー上に載置された状態で安定する山型部、前記山型部の両側端からそれぞれ下方に垂下する一対の側垂れ部、及び前記側垂れ部の下端に形成されトイレットロールを回転可能に支持する回転支持部を有するロールホルダーと、
を備えることを特徴とするトイレットロール支持構造。
【請求項２】
前記山型部の前記側壁面側の端部に当該側壁面に接触した場合に滑り止めとなる防滑部、を更に備えることを特徴とする請求項１に記載のトイレットロール支持構造。
【請求項３】
前記水平バーに前記ロールホルダーが複数並べて係止されることを特徴とする請求項１又は請求項２に記載のトイレットロール支持構造。
【請求項４】
前記側壁面から水平方向に突出して形成される棚板を更に備え、
前記水平バーの両端が上向きに湾曲して、前記棚板の下面に固定されることを特徴とする請求項１から請求項３のいずれかに記載のトイレットロール支持構造。
【発明の詳細な説明】
【技術分野】
【０００１】
本発明は、トイレルームに設置され、トイレットロールからペーパーを引き出し可能に支持するトイレットロール支持構造に関する。
【背景技術】
【０００２】
従来より、トイレルームにおけるトイレットロールを保持するロールホルダーは、当該トイレルームの側壁面にビス等で固定され、使用者が用を足した後に便器に座ったまま手を伸ばしトイレットロールからトイレットペーパーを引き出して使用することが常であった。しかしながら、ロールホルダーの位置は、一般的には大人が無理な姿勢をとることなく引き出しやすい位置に配置されており、例えば幼児や児童がトイレットペーパーを引き出す場合には一旦立ち上がるか、又は無理な姿勢をとる必要があった。また、手を伸ばすことが難しい高齢者や身体が不自由な人たちにもトイレットペーパーを引き出すことが困難な場合があった。
【０００３】
このような課題に対応するものとして、トイレルームに設置され、壁面に沿って設けられるカウンターであって、該カウンターの裏面に溝状のガイドレールをカウンターの長さ方向に沿って凹設し、このガイドレールによってロールホルダーをスライド自在に吊持してなるトイレルーム用カウンターが提案されている（例えば特許文献１参照）。
【０００４】
このトイレルーム用カウンターによると、例えば幼児や児童がトイレを使用する際、ロールホルダーを手元に引き寄せ、使い勝手よくトイレットロールからトイレットペーパーを引き出して使用することができる。また、高齢者等、身体の不自由な人達がトイレを使用するときも、手を伸ばして無理な姿勢をとることなく、使い勝手よくロールペーパーからトイレットペーパーを引き出して使用することができる。
【先行技術文献】
【特許文献】
【０００５】
【特許文献１】特開２００８−２８９６９４号公報
【発明の概要】
【発明が解決しようとする課題】
【０００６】
しかし、カウンタの下に溝状のガイドレールを設ける構成は、ロールホルダーをスライドさせてトイレットペーパーを引き出しやすい位置に配置することはできるが、ガイドレールの活用用途がそれに限定されるため、ロールホルダーを移動させて空いたスペースを有効活用することができない。また、カウンタに溝状のガイドレールを埋め込むための厚さが必要となり、カウンタの寸法が大きくなる問題もある。
【０００７】
そこで本発明は、簡単に設置することができる構成でありつつ、ロールホルダーのみならず様々な物品を保持することができ、使用者の体型等に応じてトイレットペーパーを引き出しやすい位置にロールホルダーを配置することができるトイレットロール支持構造を提供することを目的とする。
【課題を解決するための手段】
【０００８】
本発明のトイレットロール支持構造は、トイレルームの側壁面に沿って平行に設けられる水平バーと、平板を曲げて山型に形成され、頂部が前記水平バー上に載置された状態で安定する山型部、前記山型部の両側端からそれぞれ下方に垂下する一対の側垂れ部、及び前記側垂れ部の下端に形成されトイレットロールを回転可能に支持する回転支持部を有するロールホルダーと、を備えることを特徴としている。
【０００９】
本発明のトイレットロール支持構造は、前記山型部の前記側壁面側の端部に当該側壁面に接触した場合に滑り止めとなる防滑部、を更に備えることを特徴としている。
【００１０】
本発明のトイレットロール支持構造は、前記水平バーに前記ホルダーが複数並べて係止されることを特徴としている。
【００１１】
本発明のトイレットロール支持構造は、前記側壁面から水平方向に突出して形成される棚板を更に備え、前記水平バーの両端が上向きに湾曲して、前記棚板の下面に固定されることを特徴としている。
【発明の効果】
【００１２】
本発明のトイレットロール支持構造によると、トイレルームの側壁面に沿って平行に設けられる水平バーの上に山型部が安定して載置されることによってロールホルダーが配置されているので、ロールホルダーを水平バーに沿って簡単に移動させることができる。したがって、トイレルームの使用者に応じてトイレットペーパーを引き出しやすい位置にロールホルダーを配置することができる。そして、水平バーにロールホルダーの山型部を引っ掛けることでトイレットロールを保持することができるので、水平バーを固定するだけで極めて簡単にロールホルダーを配置することができる。そして、水平バーは例えばタオル、フックつきの収納袋、及び掃除用具などの様々なトイレ用品を引っ掛けて保持することができるので、ロールホルダーを移動させて空いたスペースを有効活用することができる。
【００１３】
本発明のトイレットロール支持構造によると、トイレットロールからトイレットペーパーを引き出し、引き出されたトイレットペーパーを側壁側に引っ張ると、水平バーに載置されて安定している山型部の側壁と反対側の端部が当該トイレットペーパーによって側壁側に押される。そして、山型部が側壁側に移動して、当該山型部の側壁側の端部が当該側壁に接触する。山型部の側壁側の端部には側壁に対して滑り止めとなる防滑部を備えるので、山型部が側壁に接触した状態で維持され、トイレットペーパーが切り取られる。したがって、トイレットペーパーを引き出す際に姿勢を安定させることができる。
【００１４】
本発明のトイレットロール支持構造は、前記水平バーに前記ロールホルダーが複数並べて係止されるので、例えば予備のトイレットロールを支持するロールホルダーを隣に配置しておくことができ、一方のトイレットロールが無くなった場合には、隣のロールホルダーを近づく方向に移動させることで、予備のロールホルダーのトイレットロールを適切な位置に配置して簡単に使用することができる。また、大人と幼児又は児童などのように体型が大きく異なる使用者がトイレルームを使用する場合に、それぞれの複数配置されるロールホルダーをそれぞれの体型に応じて使用しやすい位置に配置することができる。
【００１５】
本発明のトイレットロール支持構造は、側壁面から水平方向に突出して形成される棚板を更に備えているので、棚板の下に水平バーを収まりよく配置することができ、棚板上には例えば装飾物や消臭芳香物などの物品を配置することができる。
【図面の簡単な説明】
【００１６】
【図１】トイレットロール支持構造が配置されるトイレルームの全体構成を示す斜視図。
【図２】水平バーに引っ掛けられるロールホルダーの一例を示す斜視図。
【図３】水平バーに山型部の頂部が安定して載置されている状態のトイレットロール支持構造を示す断面図。
【図４】トイレットペーパーを引き出して切断する状態のトイレットロール支持構造を示す断面図。
【図５】（Ａ）は回転支持部が、一対の側垂れ部の下端に互いに対向する側に突出して設けられる一対の爪部である例を説明する正面図であり、（Ｂ）は回転支持部が、トイレットロールの軸孔に挿入される芯材と、一対の側垂れ部の先端に対向して形成されており芯材の端部を固定する固定孔とを有する例を説明する正面図。
【図６】ロールホルダーを移動させる状態を説明する斜視図。
【図７】ロールホルダーを移動させる前後のトイレルームの全体構成を示す正面図。
【発明を実施するための形態】
【００１７】
以下、本発明に係るトイレットロール支持構造１の実施形態について各図を参照しつつ説明する。トイレットロール支持構造１は、トイレルーム４の側壁面５に設けられてトイレットロール２を保持するものである。トイレットロール２は帯状のトイレットペーパー２０をロール状に巻いたものであり、中心に軸孔３が設けられている。トイレットロール２の軸孔３には筒状の芯が設けられる芯有りタイプと芯が設けられない芯なしタイプがあるが、本実施形態のトイレットロール支持構造１はどちらのタイプのトイレットロール２を支持するものであってもよい。トイレットロール支持構造１は、トイレルーム４の側壁面５から水平方向に突出して形成される棚板６と、トイレルーム４の側壁面５に沿って平行に設けられる水平バー７と、水平バー７に引っ掛けられて保持されるロールホルダー８とを備える。
【００１８】
トイレルーム４は、図１に示すように、例えば住宅等の建物に設けられる洋式便器１１が配置されるトイレルーム４である。トイレルーム４は、便座に腰掛けた人から見て左右方向に側壁面５が形成され、前方に正面壁面９、後方に背面壁面１０が形成されて、矩形に間仕切られている。側壁面５、正面壁面９、背面壁面１０は外壁又は間仕切壁であり、たとえば側壁面５及び／又は背面壁面１０には窓などの図示しない開口部が形成されるとともに、正面又は一方の側壁面５にトイレルーム４との出入口となる図示しないドアが形成されている。トイレルーム４は、幅方向の長さが例えば１ｍから１．２５ｍ程度で、奥行き方向の長さが１．５ｍから２ｍ程度である。トイレルーム４の寸法はこれに限定されるものではない。
【００１９】
棚板６は、トイレルーム４の一方の側壁面５に沿って水平に全面に亘って設けられる平板状のトイレカウンタである。棚板６はトイレルーム４のデザインや必要とされる耐荷重に応じて、例えば木製、樹脂製、金属製などの様々な材料で製造することができる。本実施形態の棚板６のにはコンセント１２が上方を向けて埋め込まれており、棚板６上にアロマデヒューザ１３や空気清浄機などの電気機械器具を設置する際に電力を供給する。棚板６は側壁面５に基端が固定される片持ちとなっているが、棚板６の長さ方向の端部が正面壁面９及び背面壁面１０の両方又はいずれか一方に固定されていても良い。なお、棚板６は側壁面５の水平方向に全面に亘って設けられるものに限定されるものではなく、側壁面５の水平方向の一部に設けられるものであってもよい。棚板６は床面からの高さが約９００ｍｍであり、側壁面５からの突出長さが約１２０ｍｍである。
【００２０】
水平バー７は、側壁面５と平行に棚板６の下側に配置される円柱上の棒材である。水平バー７の両端は、図７に示すように、それぞれ上向きに湾曲しており、棚板６の下面に固定されている。水平バー７は、意匠性や必要な耐加重に応じて金属製、樹脂製、木製など様々な材料で形成することができる。水平バー７の直径は、様々なトイレ用品１４を吊り下げた場合に撓まない強度を確保できる太さ以上であり、且つ、トイレ用品１４を引っ掛けて吊り下げる際に吊り下げやすい細さであることが好ましい。水平バー７は棚板６の下面から下方に１００ｍｍ程度離れており、側壁面５から６０ｍｍ以上離れた位置に配置されている。なお、水平バー７は棚板６に固定されるものに限定されるものではなく、側壁面５に水平バー７が直接又は図示しないブラケットを介して固定されていてもよい。また、本実施形態のトイレットロール支持構造１は棚板６を有するものであるが、本発明のトイレットロール支持構造１はこれに限定されるものではなく、棚板６を有さずに水平バー７が側壁面５に固定されるものであってもよい。
【００２１】
ロールホルダー８は、図２及び図３に示すように、平板を山型に折り曲げて形成された山型部１５と、山型部１５の両側の側端からそれぞれ斜め下方に垂下する一対の側垂れ部１６と、側垂れ部１６の下端に形成されておりトイレットロール２を回転可能に支持する回転支持部１７と、山型部１５の側壁面５側の端部に当該側壁面５に接触した場合に滑り止めとなる防滑部１８とを有している。
【００２２】
山型部１５は、金属製の矩形平板をその略中央で鈍角に折り曲げて山型に形成し、頂部１９を水平バー７の上に載置したときに安定するように形成されている。具体的には、山型部１５の頂部１９を水平バー７の上に載置したときに、ロールホルダー８の重心が水平バー７の鉛直な下側に位置することで、側壁面５側と当該側壁面５の反対側とが釣り合い、山型部１５が水平バー７の上で安定する。山型部１５の側壁面５側の端部に形成される防滑部１８は、側壁面５に接触した際の摩擦力が高いたとえばゴムや防滑性樹脂等の素材で形成されている。図４に示すように、トイレットロール２からトイレットペーパー２０を引き出した際に山型部１５が側壁面５側に移動して、山型部１５の側壁面５側の端部が当該側壁面５に接触する際に、当該側壁面５側の端部が鉛直となるように、山型部１５は側壁面５側の端部が下方に向かって折れ曲がっている。これによって、防滑部１８と側壁面５との接触面積を広くすることができ、ロールホルダー８の姿勢を安定させるとともに摩擦力をより大きくすることができる。山型部１５の防滑部１８と反対側の端部には、トイレットロール２から引き出されたトイレットペーパー２０を切断しやすいように厚さが先細りとなるテーパー部２１が形成されている。
【００２３】
側垂れ部１６は、山型部１５の頂部１９よりもテーパー部２１側の両側端からそれぞれ側壁面５に接近する方向に傾いて斜め下方に垂れ下がっている。山型部１５の頂部１９を水平バー７に載置して安定させたときに、側垂れ部１６の下端は水平バー７の真下に配置される。一対の側垂れ部１６の間の距離はトイレットロール２の幅よりも長く、トイレットロール２を一対の側垂れ部１６の間に挿入できる。側垂れ部１６の下端にはトイレットロール２を回転可能に支持する回転支持部１７が形成されている。側垂れ部１６の下端は、水平バー７の真下に位置するので、回転支持部１７にトイレットロール２を支持させてもロールホルダー８の重心は水平バー７の鉛直な下側のままであり、山型部１５の頂部１９が水平バー７に載置された状態で安定したままである。
【００２４】
回転支持部１７は、図５（Ａ）に示すように、例えば、一対の側垂れ部１６の下端に互いに対向する側に突出して設けられる一対の爪部２２である。一対の爪部２２の先端同士の間の距離はトイレットロール２の幅よりも短い。一対の爪部２２は上方に向かって互いに接近するように形成されており、下方から一対の爪部２２の間にトイレットロール２を挿入すると、爪部２２が弾性変形し、トイレットロール２の軸孔３に爪部２２が挿入されることで、トイレットロール２を回転可能に保持する。
【００２５】
なお、回転支持部１７は上述の形態に限定されるものではない。例えば別の形態の回転支持部１７は、図５（Ｂ）に示されるように、回転支持部１７は、トイレットロール２の軸孔３に挿入される芯材２３と、一対の側垂れ部１６の先端に対向して形成されており芯材２３の端部を固定する固定孔２４とを有する。芯材２３は両端にそれぞれ突出片２５が形成されており、トイレットロール２の軸孔３に芯材２３を挿入した状態で、両側の突出片２５をそれぞれ固定孔２４に挿入することでトイレットロール２を回転可能に保持する。なお、回転支持部１７は、トイレットロール２を自転させつつ保持できる形状であればどのような構成であってもよい。
【００２６】
水平バー７には、図１に示すように、トイレットロール２を保持するロールホルダー８が２つ係止されている。このようにロールホルダー８が複数係止されることで、例えば一方のトイレットロール２が無くなった場合には、隣のロールホルダー８を使用しやすい位置に移動させて簡単に使用することができる。また、例えば、大人と幼児又は児童などのように体型が大きく異なる使用者がや身体が不自由な使用者がトイレルーム４を使用する場合に、それぞれの複数配置されるロールホルダー８をそれぞれの体型等に応じて使用しやすい位置に配置することができる。
【００２７】
水平バー７には更に、フック付きのタオル掛けやフック付きのマガジン入れなどのトイレ用品１４が係止されている。また水平バー７には、スプレー式洗剤２６も係止されている。このように、水平バー７のロールホルダー８を係止していない位置には、他の様々なトイレ用品１４を引っ掛けて保持することができるので、水平バー７の空いたスペースを有効に活用することができる。また、棚板６上には、棚板６上には例えば観葉植物などの装飾物やアロマデヒューザ１３が載置されている。なお、棚板６上には、装飾物２７や消臭芳香物などのトイレ物品を配置することができ、掃除用具などのトイレ用品を配置することもできる。
【００２８】
水平バー７に係止されたロールホルダー８は、図３に示すように、山型部１５の頂部１９を支点として釣り合った状態で安定する。そして、トイレットペーパー２０を使用する際には、トイレットロール２からトイレットペーパー２０を引き出して、引き出したトイレットペーパー２０を上向きで且つ側壁面５に接近する方向に引っ張り、当該トイレットペーパー２０を山型部１５のテーパー部２１に当接させる。このとき、図４に示すように、ロールホルダー８は側壁面５側が下方となり、側壁面５と反対側が上方となるように傾きながら、側壁面５に接近する。そして、ロールホルダー８の側壁面５側の端部に形成された防滑部１８が側壁面５に面接触する。防滑部１８が側壁面５に面接触すると、防滑部１８と側壁面５との間の摩擦力によってロールホルダー８の姿勢た維持され、トイレットペーパー２０がテーパー部２１に接触している位置で切断される。したがって、本実施形態のトイレットロール支持構造１によって、トイレットペーパー２０を引き出す際に姿勢を安定させることができる。
【００２９】
ロールホルダー８は水平バー７に沿って移動させることによって、例えば大人、幼児や児童、身体が不自由な人、高齢者などの使用者に応じて、トイレットペーパー２０を使用しやすい位置にロールホルダー８を簡単に配置することができる。ロールホルダー８を移動させる際には、図６及び図７に示すように、ロールホルダー８の山型部１５を持ってやや上方に持ち上げて、水平バー７に沿って適切な位置に移動させ、山型部１５の頂部１９を水平バー７に載置することで、ロールホルダー８が水平バー７上でバランスを取って安定する。このように本実施形態のトイレットロール支持構造１は、ロールホルダー８が水平バー７に引っ掛けられるだけで安定して保持されているので、極めて単純な構成であり、極めて簡単に使用しやすい位置に移動させることができる。
【００３０】
本発明の実施の形態は上述の形態に限ることなく、本発明の思想の範囲を逸脱しない範囲で適宜変更することができることは云うまでもない。
【産業上の利用可能性】
【００３１】
本発明に係るトイレットロール支持構造１は、例えば住宅のトイレルーム４におけるトイレットロール２を保持する構造として好適である。
【符号の説明】
【００３２】
１      トイレットロール支持構造
２      トイレットロール
５      側壁面
６      棚板
７      水平バー
８      ロールホルダー
１５    山型部
１６    側垂れ部
１７    回転支持部
１８    防滑部
１９    頂部
【図１】
2019195530.tif 000003
【図２】
2019195530.tif 000004
【図３】
2019195530.tif 000005
【図４】
2019195530.tif 000006
【図５】
2019195530.tif 000007
【図６】
2019195530.tif 000008
【図７】
2019195530.tif 000009